(57)【要約】【課題】  強風時にも防水シートが暴れることなく、かつ、地震によって左右の躯体が揺れ動いた場合、自動的に通常状態に復帰する屋上用目地カバー装置を提供すること。【解決手段】  目地部を介して設けられた左右の躯体間の目地部をカバーする屋上用目地カバー装置であって、一方の躯体に設けられた水切りカバーと、一端部が他方の躯体の外壁に取付けられ、前記水切りカバーの上部にその他端部が位置する目地カバーと、この目地カバーの他端部と前記水切りカバーの目地部側の端部の間に設けられた防水手段とを備え、前記防水手段は、重りを備え、通常時において前記水切りカバーの上面に当接する防水シートと、該防水シートを所定の位置に位置させる位置決め手段と、地震によって目地部が狭くなった場合に、前記防水シートが目地部へ脱落することを防止する防水シート支持装置とで構成される。【選択図】  図１
2018168625.tif 000002
【特許請求の範囲】
【請求項１】
目地部を介して設けられた左右の躯体間の目地部をカバーする屋上用目地カバー装置であって、一方の躯体に設けられた水切りカバーと、一端部が他方の躯体の外壁に取付けられ、前記水切りカバーの上部にその他端部が位置する目地カバーと、この目地カバーの他端部と前記水切りカバーの目地部側の端部の間に設けられた防水手段を備え、
前記防水手段は、重りを備え、通常時において前記水切りカバーの上面に当接する防水シートと、該防水シートを所定の位置に位置させる位置決め手段と、地震によって目地部が狭くなった場合に、前記防水シートが目地部へ脱落することを防止する防水シート支持装置とで構成される屋上用目地カバー装置。
【請求項２】
目地部を介して設けられた左右の躯体間の目地部をカバーする屋上用目地カバー装置であって、一方の躯体に設けられた水切りカバーと、一端部が他方の躯体の外壁に取付けられた目地カバーと、該目地カバーと前記水切りカバーの間に設けられた少なくとも１つの中間目地カバーと、該中間目地カバーを支持する中間目地カバー支持部材と、前記目地カバー及び中間目地カバーに設けられた防水手段とを備え、
前記防水手段は、重りを備え、通常時において前記水切りカバーの上面に当接する防水シートと、該防水シートを所定の位置に位置させる位置決め手段と、地震によって目地部が狭くなった場合に、前記防水シートが目地部へ脱落することを防止する防水シート支持装置とで構成される屋上用目地カバー装置。
【請求項３】
前記防水手段は、重りを備え、通常時において前記水切りカバーの上面に当接する第２の防水シートを更に有することを特徴とする請求項１又は請求項２のいずれかに記載の屋上用目地カバー装置。
【請求項４】
前記水切りカバーは、一方の躯体側の端部に下方へ突出する誘導側壁を備えていることを特徴とする請求項１乃至請求項３のいずれかに記載の屋上用目地カバー装置。
【発明の詳細な説明】
【技術分野】
【０００１】
本発明は目地部を介して設けられた躯体の間の目地部を塞ぐ屋上用目地カバー装置に関する。
【背景技術】
【０００２】
従来の屋上用目地カバー装置は、「目地部を介して設けられた高さの異なる左右の建物の低い方の建物の目地部側パラペットに、該パラペットの上部を覆うように固定された目地部側の端部が上方へ突出する支持片が形成され、反目地部側の端部が下方へ突出する水切り片が形成された水切りカバーと、この水切りカバーの支持片の上部に位置し、かつ先端部が前記パラペットの内側部位に位置する後端部が高い方の建物の目地部側の外壁面に所定間隔で固定された複数個の目地カバー支持金具と、この複数個の目地カバー支持金具に支持され、一端部が前記高い方の建物の目地部側外壁面、あるいは該部位の複数個の目地カバー支持金具に固定され、他端部が該複数個の目地カバー支持金具の先端部に固定される目地カバーと、前記複数個の目地カバー支持金具の先端部側の底面に固定された、前記目地カバーの先端底面部を防水可能に覆う防水カバーと、前記水切りカバーの支持片に一端部が固定され、他端部が前記防水カバーの内側端部に固定された、前記左右の建物の異なる左右方向の揺れ動きを吸収できる遊びを有する防水シートと、前記水切りカバーの支持片に所定間隔で一端部が取付けられ、他端部が前記高い方の建物の目地部側外壁面に収納、引き出し可能に所定間隔で取付けられ、前記防水シートを支持する複数本のワイヤーを用いた防水シート支持装置とからなることを特徴とする屋上用目地カバー装置」が知られている（特許文献１）。
【０００３】
しかしながら、このような屋上用目地カバー装置では、強風時には防水シートが風によって暴れてしまうという問題点があった。
また、地震によって目地部が狭くなった場合には、防水シートは防水シート支持装置に乗り上げるが、左右の躯体が通常時の位置に復帰した際に、防水シートが防水シート支持装置に乗り上げたままになってしまうおそれがあった。
【先行技術文献】
【特許文献】
【０００４】
【特許文献１】特開２０１１−５２５０２号公報
【発明の概要】
【発明が解決しようとする課題】
【０００５】
本発明は以上のような従来の欠点に鑑み、強風時にも防水シートが暴れることなく、かつ、地震によって左右の躯体が揺れ動いた場合、自動的に通常状態に復帰する屋上用目地カバー装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明の屋上用目地カバー装置は、目地部を介して設けられた左右の躯体間の目地部をカバーする屋上用目地カバー装置であって、一方の躯体に設けられた水切りカバーと、一端部が他方の躯体の外壁に取付けられ、前記水切りカバーの上部にその他端部が位置する目地カバーと、この目地カバーの他端部と前記水切りカバーの目地部側の端部の間に設けられた防水手段を備え、前記防水手段は、重りを備え、通常時において前記水切りカバーの上面に当接する防水シートと、該防水シートを所定の位置に位置させる位置決め手段と、地震によって目地部が狭くなった場合に、前記防水シートが目地部へ脱落することを防止する防水シート支持装置とで構成される。
【０００９】
また、本発明の屋上用目地カバー装置は、目地部を介して設けられた左右の躯体間の目地部をカバーする屋上用目地カバー装置であって、一方の躯体に設けられた水切りカバーと、一端部が他方の躯体の外壁に取付けられた目地カバーと、該目地カバーと前記水切りカバーの間に設けられた少なくとも１つの中間目地カバーと、該中間目地カバーを支持する中間目地カバー支持部材と、前記目地カバー及び中間目地カバーに設けられた防水手段とを備え、前記防水手段は、重りを備え、通常時において前記水切りカバーの上面に当接する防水シートと、該防水シートを所定の位置に位置させる位置決め手段と、地震によって目地部が狭くなった場合に、前記防水シートが目地部へ脱落することを防止する防水シート支持装置とで構成される。
【発明の効果】
【００１０】
以上の説明から明らかなように、本発明にあっては次に列挙する効果が得られる。
（１）請求項１及び請求項２に記載の各発明においては、防水シートを所定の位置に位置させる位置決め手段を有しているので、地震による揺れ動きが終了し、通常状態に復帰した場合に、防水シートを所定の位置に位置させることができる。
（２）また、位置決め手段及び重りによって、強風時であっても防水シートが暴れることを防止できる。
（３）請求項３に記載の発明においても、前記（１）〜（２）と同様な効果が得られると共に、第２の防水シートにより、より確実に雨水の侵入等を防止することができる。
（４）請求項４に記載の発明においても、前記（１）〜（３）と同様な効果が得られると共に、確実に下方へ排水することができ、雨水等が水切りカバー取付部に入り込むことを防止できる。
【図面の簡単な説明】
【００１１】
図１乃至図７は本発明の第１の実施形態を示す説明図である。
図８乃至図１３は本発明の第２の実施形態を示す説明図である。
【図１】第１の実施形態を示す屋上用目地カバー装置の平面図（通常時）。
【図２】図１の２−２線に沿う断面図。
【図３】図１の３−３線に沿う断面図。
【図４】水切りカバーの説明図。
【図５】目地カバーの説明図。
【図６】地震で目地部が狭くなった正面視側からの動作説明図。
【図７】地震で目地部が広くなった正面視側からの動作説明図。
【図８】第２の実施形態を示す屋上用目地カバー装置の平面図。
【図９】図８の９−９線に沿う断面図。
【図１０】図８の１０−１０線に沿う断面図。
【図１１】中間目地カバー及び中間目地カバー支持部材の説明図。
【図１２】地震で目地部が狭くなった正面視側からの動作説明図。
【図１３】地震で目地部が広くなった正面視側からの動作説明図。
【発明を実施するための形態】
【００１２】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された屋上用目地カバー装置である。
なお、左右方向とは図１（平面視）における左右方向であり、前後方向とは図１における上下方向、上下方向とは図２における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の屋上用目地カバー装置１は、図１乃至図３に示すように、一方の躯体３のパラペット５に設けられた水切りカバー６と、他方の躯体４の外壁４ａにその一端部７ａが取付けられ、該水切りカバー６の一方の躯体３側の端部付近にその他端部７ｂが位置する目地カバー７と、この目地カバー７の下方へ突出する他端部７ｂと前記水切りカバー６の目地部側の端部の間に設けられた防水手段８とで構成されている。
【００１５】
水切りカバー６は、一方の躯体３の目地部２側の上面、本実施形態においては一方の躯体３のパラペット５の上面に固定されるもので、図４に示すように、正面視において略クランク形状で、上面が傾斜面状に形成されている。この水切りカバー６の一方の躯体３側（目地部２の反対側）の端部は、パラペット５の内側壁面に当接するように、下方へ突出する誘導側壁６ａを備えている。
【００１６】
また、目地部２側の端部には、略垂直に立ち上がる側壁６ｂを備えている。
この水切りカバー６は、パラペット５の上部に複数本のアンカーボルト等で、所定間隔を隔てて複数個設けられた水切りカバー取付具９を介して方の躯体３のパラペット５の上面に固定される。
【００１７】
目地カバー７は、他方の建物４の外壁４ａに複数本のタッピングビス等によって所定間隔で固定された複数個の目地カバー支持金具１０に支持されるとともに、他方の躯体４の壁面に取付端部が固定され、目地部２をカバーするものである。この目地カバー７は、図５に示すように、上面が傾斜面状に形成されており、その他端部７ｂは、本実施形態においては水切りカバー６の一方の躯体３側の端部付近に位置する。この他端部７ｂは下方へ突出する側壁状に形成されている。また、その底面部分（目地カバー支持金具１０）の下部には、天井板３１が固定されている。
【００１８】
なお、目地カバー７の前後方向の両側には、ヒンジ部材１１を介して回動する側部カバー板１２が設けられている。この側部カバー板１２は目地カバー７に当接するようにバネ部材等（図示せず）によって適宜付勢されており、地震によって左右の躯体が異なる前後方向揺れ動いた場合に、前記ヒンジ部材１１を支点に回動して揺れ動きを吸収するとともに、揺れが終了すると、前記バネ部材等（図示せず）の付勢力により自動的に通常時の状態に復帰するものである。
【００１９】
また、この側部カバー板１２の下部には、左右方向に伸縮する壁面用目地装置１３を設けることが望ましい。この壁面用目地装置１３は公知の壁面用目地装置を用いることができるので、ここではその説明は割愛する。
【００２０】
防水手段８は、本実施形態においては、目地カバー７の他端部７ａ側の底面（天井板３１の底面）に設けられ、内包する重り１４によって下端部が通常時において常時水切りカバー６の上面６ｃに当接する防水シート１５と、この防水シート１５を所定の位置に位置させる位置決め手段１６と、地震によって目地部２が狭くなった場合に、前記防水シート１５が目地部２へ脱落することを防止する防水シート支持装置１７と、前記防水シート１５よりも一方の躯体側に設けられた第２の防水シート１８とで構成されている。
【００２１】
この防水シート１５は、前記重り１４によって鉛直下方へ垂れ下がり、水切りカバー６の上面に接触し、雨水等がこの防水シート１５よりも目地部２側へ侵入することを防止している。
【００２２】
位置決め手段１６は、その一端部が目地カバー支持金具１０の底面又は目地カバー７の底面に固定され、その他端部が、前記防水シート１５の水切りカバー６との当接部位付近に固定されたワイヤー１６で構成されている。このワイヤー１６は緩みなく取り付けられており、略伸縮性のない材質で形成されている。
【００２３】
防水シート支持装置１７は、他方の躯体４の下部の壁面４ａに取り付けられた付勢具１９と、この付勢具１９にその一端部が接続され、その他端部は、他方の躯体４の壁面４ａに取り付けられた滑車２０を介して前記水切りカバーの側壁６ｂの上部に固定された支持ワイヤー２１とで構成されている。
【００２４】
なお、付勢具１９として本実施形態ではコイルスプリング１９を用いているが、ゼンマイバネや重り等を付勢具として用いてもよい。
【００２５】
第２の防水シート１８は、前記防水シート１５と同様の構成となっており、内部に重り１４を備え、この重り１４の重みによって鉛直下方へ垂れ下がり、水切りカバー６の上面に接触し、雨水等がこの第２の防水シート１８よりも目地部２側へ侵入することを防止している。
【００２６】
ところで、本実施形態においては、防水効果を高めるために、目地カバー７の他端部７ｂには、水切りカバー６と通常時において当接するゴム製のカバー片２２を備えている。
地震で躯体３、４が左右方向に揺れ動き目地部２が狭くなると、図６に示すように、目地カバー７が一方の躯体３側へ突出するようにスライド移動し、地震による揺れ動きを吸収する。
【００２７】
地震で躯体３、４が左右方向に揺れ動き目地部２が広くなると、図７に示すように、目地カバー７の他端部７ｂが水切りカバー６上を他方の躯体４側へスライド移動し、地震による揺れ動きを吸収する。
【００２８】
この時防水シート１５は、水切りカバー６の側壁６ｂを越えて目地部２の上部に位置するが、防水シート支持装置１７の支持ワイヤー２１によって支持されるので、目地部２へ脱落せずに支持される。
【００２９】
地震による揺れ動きが終了すると、緩みなく取り付けられたワイヤー（位置決め手段）１６によって、防水シート１５は一方の躯体側へ引っ張られ、水切りカバー６の側壁６ｂを越えて、水切りカバー６の上面に接触する状態に自動的に復帰する（通常時の状態）。
なお、防水シート支持装置１７は、付勢具１９が伸び縮みすることによって地震による目地部２の幅の変化を吸収する。
【００３０】
[発明を実施するための異なる形態]
次に、図８乃至図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３１】
図８乃至図１３に示す本発明を実施するための第２の形態において、前記本発明を実施するための第１の形態と主に異なる点は、一端部が他方の躯体の外壁に取付けられた目地カバー７Ａと、該目地カバー７Ａと前記水切りカバー６の間に設けられた少なくとも１つ、本実施形態では第１の中間目地カバー２３及び第２の中間目地カバー２４の２つの中間目地カバーと、該中間目地カバー２３、２４を支持する中間目地カバー支持部材２５とを設け、目地カバー７Ａと第１の中間目地カバー２３、第１の中間目地カバー２３と第２の中間目地カバー２４及び第２の中間目地カバー２４と前記水切りカバー６の間に防水手段８Ａを設けた点で、このような屋上用目地カバー装置１Ａにしても、前記本発明を実施するための第１の形態と同様の作用効果を得ることができる。
【００３２】
なお、本実施形態では中間目地カバーを２つ設けているが、中間目地カバーは１つでもよいし、３つ以上設けてもよい。
【００３３】
第１の中間目地カバー２３は、正面視略クランク形状で、一端部側には略垂直に立ち上がる側壁２３ａを有し、他端部側には略垂直に下方へ折れ曲がる側壁２３ｂを備えており、その上面２３ｃは傾斜面状に形成され、その底面（下部）には天井板３１が設けられている。
【００３４】
第１の中間目地カバー２３は、その側壁２３ｂが第２の中間目地カバー２４の側壁２４ａよりも一方の躯体側に位置する長さに形成されており、本実施形態では、側壁２３ｂは第１の中間目地カバー２３の上面２３ｃの上部に位置している。
この側壁２３ｂには、第２の中間目地カバー２４の上面２４ｃと通常時において当接するゴム製のカバー片２２を備えている。
【００３５】
また、第１の中間目地カバー２３は側壁２３ａ側の底面付近に中間目地カバー支持部材２５に取付けるための取付具２６が固定されている。
第２の中間目地カバー２４は、第１の中間目地カバー２３と同様の構成となっており、一端部側には略垂直に立ち上がる側壁２４ａを有し、他端部側には略垂直に下方へ折れ曲がる側壁２４ｂを備えており、その上面２４ｃは傾斜面状に形成され、その底面（下部）には天井板３１が設けられている。
【００３６】
第２の中間目地カバー２４は、その側壁２４ｂが水切りカバー６の側壁６ｂよりも一方の躯体側に位置する長さに形成されており、本実施形態では、側壁２４ｂは水切りカバー６の上面の上部に位置している。
この側壁２４ｂには、水切りカバー６の上面６ｃと通常時において当接するゴム製のカバー片２２を備えている。
【００３７】
第２の中間目地カバー２４にも、側壁２４ａ側の底面付近に中間目地カバー支持部材２５に取付けるための取付具２６が固定されている。
また、中間目地カバー２３、２４の前後方向の端部にもヒンジ部材１１を介して側部カバー板１２が取り付けられている。
【００３８】
目地カバー７Ａは、他端部７ｂが第１の中間目地カバー２３の側壁２３ａよりも一方の躯体側に位置する長さに形成されており、本実施形態では、他端部７ｂは第１の中間目地カバー２３の上面２３ｃの上部に位置している。
【００３９】
中間目地カバー支持部材２５は、一方の躯体３の外壁３ａ及び他方の躯体４の外壁４ａにその両端部が取り付けられ、複数の中央枢支部２７を有するパンタグラフ状のリンク部材２８と、該リンク部材２８の中央枢支部２７にそれぞれ設けられた上下一対のパイプ状の支持具２９とで構成されている。
【００４０】
前記取付具２６は本実施形態ではバー状に形成されており、この取付具２６の軸部２６ａを支持具２７に挿入することで、中間目地カバー２３、２４が支持される。この取付具２６の軸部２６ａには所定の位置にフランジ状の係合部３０が形成されており、この係合部３０が上部の支持具２９の縁に係合することにより、中間目地カバー２３、２４が支持される。
【００４１】
防水手段８Ａは、第１の実施形態と同様の構成からなっており、複数の支持ワイヤー２１の他端部は、第１の中間目地カバー２３の側壁２３ａ、第２の中間目地カバー２４の側壁２４ａ及び水切りカバー６の側壁６ｂの上部にそれぞれ固定される。
【００４２】
なお、本発明の実施形態においては、防水シート及び第２の防水シートを用いるものについて説明したが、第２の防水シートを用いない形態としてもよい。
また、本発明の実施形態においては、一方の躯体側の端部に下方へ突出する誘導側壁を備えている水切りカバーについて説明したが、このような誘導側壁を備えていなくてもよい。
【００４３】
さらに、本発明の実施形態においては、防水シートを天井板の底面に設ける形態について説明したが、目地カバーに天井板を設けず、目地カバーの底面に直接防水シートを設けてもよい。
【産業上の利用可能性】
【００４４】
本発明は屋上用目地カバー装置を製造する産業で利用される。
【符号の説明】
【００４５】
１、１Ａ：屋上用目地カバー装置、    ２：目地部、
３：一方の躯体、                    ４：他方の躯体、
５：パラペット、                    ６：水切りカバー、
７、７Ａ：目地カバー、              ８、８Ａ：防水手段、
９：水切りカバー取付具、            １０：目地カバー支持金具、
１１：ヒンジ部材、                  １２：側部カバー板、
１３：壁面用目地装置、              １４：重り、
１５：防水シート、                  １６：位置決め手段、
１７：防水シート支持装置、          １８：第２の防水シート、
１９：付勢具、                      ２０：滑車、
２１：支持ワイヤー、                ２２：カバー片、
２３：第１の中間目地カバー、        ２４：第２の中間目地カバー、
２５：中間目地カバー支持部材、      ２６：取付具、
２７：中央枢支部、                  ２８：リンク部材、
２９：支持具、                      ３０：係合部、
３１：天井板。
【図１】
2018168625.tif 000003
【図２】
2018168625.tif 000004
【図３】
2018168625.tif 000005
【図４】
2018168625.tif 000006
【図５】
2018168625.tif 000007
【図６】
2018168625.tif 000008
【図７】
2018168625.tif 000009
【図８】
2018168625.tif 000010
【図９】
2018168625.tif 000011
【図１０】
2018168625.tif 000012
【図１１】
2018168625.tif 000013
【図１２】
2018168625.tif 000014
【図１３】
2018168625.tif 000015